(57)【特許請求の範囲】
【請求項１】
車両用シートを前後に移動するためのシートレール装置において、
車両用シートが直接的又は間接的に取り付けられるアッパーレールと、
前記アッパーレールを案内するためのロアレールと、を備え、
操作手段によって前記アッパーレールの下方へ突出するように移動する解除用リンク部材と、
前記ロアレールに設けられ、前記アッパーレールの少なくとも一部と当接する当接部と、前記アッパーレールの前記解除用リンク部材によって押圧される被押圧部と、を有し、前記被押圧部を押圧することによって前記当接部が前記アッパーレールと干渉しない位置に移動可能に形成されたストッパー部材と、
を備えたことを特徴とするシートレール装置。
【請求項２】
前記ストッパー部材は、前記ロアレールに固定する固定部と前記被押圧部との間が板バネであることを特徴とする請求項１記載のシートレール装置。
【請求項３】
前記解除用リンク部材の先端はリンク部材用ローラーが設けられていることを特徴とする請求項１又は２に記載のシートレール装置。
【請求項４】
前記被押圧部は、上方端部が被押圧部傾斜部で形成されていることを特徴とする請求項１から３のいずれか１項に記載のシートレール装置。
【請求項５】
前記当接部は、上方端部が当接部傾斜部で形成されていることを特徴とする請求項１から４のいずれか１項に記載のシートレール装置。
【請求項６】
前記当接部は、前記当接部傾斜部から突出する当接部用ローラーを備えていることを特徴とする請求項５に記載のシートレール装置。
【発明の詳細な説明】
【技術分野】
【０００１】
本発明は、シートレール装置に関する。
【背景技術】
【０００２】
スライドを規制するインターロック機構を有するシートレール装置において、跳ね上げ可能なシートクッションとシートスライド機構を備えた車両用シートにおいて、車両フロアに取付けられるロアレールと、同ロアレール上を摺動自在に係合するアッパーレールと、同アッパーレール側に取り付けられるシートクッションと、同シートクッションの側部に設けられた係合部材と、アッパーレール側に取り付けられ、ロアレール側に突出するスライドロックプレートを有する規制手段と、ロアレール側に設けられ、スライドロックプレートとの当接によりシートの移動を規制するレールロックプレートとを備え、シートクッションの跳ね上げ状態では、係合部材が規制手段に当接してスライドロックプレートをアッパレール側に変位させ、同スライドロックプレートとレールロックプレートとの当接を回避させることによりシートクッションをスライド可能としたものが提案されている（特許文献１）。
【０００３】
しかし、このシートレール装置は、アッパーレール側にスライドロックプレートを作動させる機構が組み入れられているため、アッパーレール側に大きなスペースを必要とするという問題があった。
【先行技術文献】
【特許文献】
【０００４】
【特許文献１】特開平７−３０４３５９号公報
【発明の開示】
【発明が解決しようとする課題】
【０００５】
本発明はかかる課題を鑑みてなされたものであり、本発明の目的は、アッパーレール側に大きなスペースを必要とすることなく、着座状態ではスライド位置を規制し、ウォークイン状態では大きく移動可能なシートレール装置を提供することにある。
【課題を解決するための手段】
【０００６】
本発明は、上述の目的を達成するために、以下の手段を採った。
【０００７】
本発明にかかるシートレール装置は、
車両用シートを前後に移動するためのシートレール装置において、
車両用シートが直接的又は間接的に取り付けられるアッパーレールと、
前記アッパーレールを案内するためのロアレールと、を備え、
操作手段によって前記アッパーレールの下方へ突出するように移動する解除用リンク部材と、
前記ロアレールに設けられ、前記アッパーレールの少なくとも一部と当接する当接部と、前記アッパーレールの前記解除用リンク部材によって押圧される被押圧部と、を有し、前記被押圧部を押圧することによって前記当接部が前記アッパーレールと干渉しない位置に移動可能に形成されたストッパー部材と、
を備えたことを特徴とする。
【０００８】
本発明にかかるシートレール装置によれば、ロアレール側にアッパーレールに当接する当接部を設けることによって、当接部とアッパーレールが当接するという手段のみでアッパーレールが所定の位置以上の前方へ移動させることを防止することができる。一方で、当接部よりも前方へ移動したい場合には、解除用リンク部材で当接部をアッパーレールと干渉しない位置まで移動させることで、アッパーレールを前方まで移動させることができる。
【０００９】
また、本発明にかかるシートレール装置において、前記ストッパー部材は、前記ロアレールに固定する固定部と前記被押圧部との間が板バネであることを特徴とするものであってもよい。かかる構成を採用することによって、ストッパー部材を押圧するという操作のみで前方の規制を解除することができ、特にストッパー部材に元に戻す操作をすることなく押圧を解除するだけで元の位置に復帰させることができる。
【００１０】
さらに、本発明にかかるシートレール装置において、前記解除用リンク部材の先端はリンク部材用ローラーが設けられていることを特徴とするものであってもよい。かかる構成を採用することによって、アッパーレールを前方へ移動させる際、解除用リンク部材がスムーズにストッパー部材の上面を移動させやすくなる。また、解除用リンク部材及びストッパー部材の耐久性を向上させることができる。
【００１１】
さらに、本発明にかかるシートレール装置において、前記被押圧部は、上方端部が被押圧部傾斜部で形成されていることを特徴とするものであってもよい。かかる構成を採用することによって、解除用リンク部材が移動するに従って徐々に当接部をスムーズに下降させることができる。
【００１２】
さらに、本発明にかかるシートレール装置において、前記当接部は、上方端部が当接部傾斜部で形成されていることを特徴とするものであってもよい。かかる構成を採用することによって、ストッパー部材より前方へ移動したアッパーレールをストッパー部材より後方へ移動させる際に、単にアッパーレールを後方へ移動するという手段のみでストッパー部材を解除して後方へ移動させることができる。
【００１３】
さらに、本発明にかかるシートレール装置において、前記当接部は、前記当接部傾斜部から突出する当接部用ローラーを備えているものであってもよい。かかる構成を採用することによって、よりスムーズにストッパー部材より前方へ移動したアッパーレールをストッパー部材より後方へ移動させることができる。
【発明の効果】
【００１４】
本発明にかかるシートレール装置によれば、アッパーレールに大きなスペースを必要とすることなく、着座状態ではスライド位置を規制し、ウォークイン状態では大きく移動可能なシートレール装置を提供することができる。
【図面の簡単な説明】
【００１５】
【図１】図１は、実施形態にかかるシートレール装置１００を示す斜視図である。
【図２】図２は、実施形態にかかるシートレール装置１００を前方から視た模式図である。
【図３】図３は、実施形態にかかるシートレール装置１００の主要な構成を示す側面図である。
【図４】図４は、実施形態にかかるシートレール装置１００のストッパー部材３０を示す斜視図である。
【図５】図５は、実施形態にかかるシートレール装置１００の作動状態の一形態を示す側面図である。
【図６】図６は、実施形態にかかるシートレール装置１００の作動状態の一形態を示す側面図である。
【図７】図７は、実施形態にかかるシートレール装置１００の作動状態の一形態を示す側面図である。
【発明を実施するための形態】
【００１６】
以下、本発明の実施形態について、図面に沿って詳細に説明する。なお、以下に説明する実施形態及び図面は、本発明の実施形態の一部を例示するものであり、これらの構成に限定する目的に使用されるものではない。また、各図において対応する構成要素には同一又は類似の符号が付されている。なお、以下の説明において、図１の矢印の方向を「前後方向」という。
【００１７】
本実施形態にかかるシートレール装置１００は、車両用のシート（図示しない。）を前後方向にスライド可能に支持するものであり、車両用フロア（図示しない。）に固定されて使用されるものである。本実施形態にかかるシートレール装置１００は、図１に示すように、主として、車両側に取り付けられるロアレール１０と、車両用シートに直接的に又は間接的に取り付けられるアッパーレール２０と、を備えている。
【００１８】
ロアレール１０は、長尺のレール状の部材であり、図１又は図２に示すように、車両フロアに固定される底面部１１と、この底面部１１の両側からそれぞれ立設された左右のロア側面部１２、１２と、この左右のロア側面部１２から中央に向かって略水平にそれぞれ延設されたロア上面部１３、１３とを備えている。これら底面部１１、ロア側面部１２及びロア上面部１３によって囲まれた部分がアッパーレール２０の案内部を構成し、この案内部にアッパーレール２０の移動用ローラー２１等が配置され、アッパーレール２０を前後方向へ移動させことができる。
【００１９】
ロアレール１０には、車両用シートに着座している状態において移動を防止する着座用のロック機構と、着座時に車両用シートの位置を調整する際に、必要以上に車両用シートが前へ移動することを防止する規制機構とを備えている。
【００２０】
着座用のロック機構は、ロック部材５０と、ロアレール１０のロック部材嵌合用孔７１とからなる。ロック部材５０は、図３に示すように、複数のロック片５１ａを有するロック片部材５１と、このロック片部材５１を可動させるための可動部材５２と、を備えている。一方、ロック部材嵌合用孔７１は、図１に示すようにロアレール１０のロア側面部１２に長手方向に沿って複数形成されている。ロック部材５０は、ロック片５１ａがロック部材嵌合用孔７１に挿入する方向に付勢されており、着座している人が可動部材５２に連動しているレバー等を操作することによって、ロック片部材５１が回動し、複数のロック片５１ａがロック部材嵌合用孔７１から外れてロック状態が解除される。これにより、着座時に着座位置の調整を行なうことができる。
【００２１】
規制機構は、図３に示すように、ロアレール１０側のストッパー部材３０と、アッパーレール２０側の解除用のリンク機構８０とからなる。
【００２２】
ストッパー部材３０は、図４に示すように、板状部材を折り曲げて作製されており、主として、長尺に形成されたベース部３１と、力が加えられていない通常の状態でアッパーレール２０の一部と当接してアッパーレール２０の移動を規制する当接部３３と、この当接部３３を解除するための被押圧部３４と、ストッパー部材３０をロアレール１０に固定する固定部３２と、を備えている。当接部３３はベース部３１の一方側に設けられ、固定部３２はベース部３１の他方側に設けられ、被押圧部３４はその間に設けられている。固定部３２には、リベット止め用の貫通孔３２ａが形成されている。当接部３３は、ベース部３１の両側を折り曲げて作製されており、後端にアッパーレール２０の一部（本実施形態においては、アッパーレール２０の先端）に当接して、アッパーレール２０がそれ以上前へ移動することを防止する当接面３３ａが形成されている。一方、当接部３３の前方側は、前方が低く形成された当接部傾斜部３３ｂ及び水平部３３ｃを有し、この当接部傾斜部３３ｂ及び水平部３３ｃから少し突出するように当接部用ローラー３３ｄが設けられている。当接部３３は、ストッパー部材３０をロアレール１０に取り付けた際に、当接面３３ａがアッパーレール２０の底面２２よりも上方に配置される高さとなるように形成される。当接部３３の後方は、剛性を付与するためにベース部３１の両側にリブ３１ａが設けられている。被押圧部３４は、アッパーレール２０に設けられる解除用リンク部材４２（図３参照）によって当接部３３とアッパーレール２０が当接する位置から干渉しない位置に移動させて、アッパーレール２０の規制を解除するための部材であり、固定部３２と当接部３３との間に、ベース部３１の一方側を折り曲げて作製されている。被押圧部３４の上部は、被押圧部水平部３４ａとこの被押圧部水平部３４ａの後方に形成された被押圧部傾斜部３４ｂとを有している。被押圧部３４は、ストッパー部材３０をロアレール１０に取り付けた際に、アッパーレール２０の底面２２よりも下方に配置される高さに形成される。被押圧部３４と当接部３３の間は弾性を有する板バネで形成されており、図６に示すように、上方から力を加えることによって、先端側の当接部３３が下方に移動するように湾曲し、力を解除することで、被押圧部３４が元の位置に復帰することができるように作製されている。当接部３３が必要以上に上方に移動しないように、図４に示すように、他方側先端にロアレール１０の底面部１１と当接するロアレール下面当接片３５が設けられている。なお、本実施形態においては、一枚の金属製の板材を折り曲げることによって、作製されているが、これに限定するものではなく、異なる板材を溶接してもよい。被押圧部３４は特に板材でなく、塊状であってもよい。
【００２３】
ストッパー部材３０は、ロアレール１０に、着座状態で車両用シートが許容される最も前にある位置でアッパーレール２０が当接する位置に取り付けられる。ロアレール１０は、取り付けられる部分の底面部１１が一部開口して形成されており、後端側にロアレール貫通孔１９（図３参照）が形成され、ストッパー部材３０の貫通孔３２ａを利用してリベット等で固定される。当接部３３及び被押圧部３４がロアレール１０の底面部１１から案内部に突出するように配置され、ロアレール下面当接片３５はロアレール１０の底面部１１に当接してそれ以上、上方へ移動しないようにされている。
【００２４】
アッパーレール２０には、図３に示すように、上方に車両用シートを取り付けるためのシートレール（図示しない。）を取り付けるシートレール取付部材２３と、ロアレール１０の案内部に配置されて前後方向に移動するための移動用ローラー２１ａ及びがたつき防止用ローラー２１ｂが設けられている。リンク機構８０は、車両用シート側や車両用シートから操作できる範囲に設けられた操作手段であるリンク作動レバー（図示しない。）に連動したシートケーブル４０とシートケーブル４０に連結されたリンク部材４１と、このリンク部材４１に、連動する解除用リンク部材４２とを備えている。シートケーブル４０は、例えば、ウォークイン状態にする場合のように、車両用シートの背もたれを可倒した後に、大きく車両用シートを移動する際のレバーと連結されている。リンク部材４１は、シートケーブル４０を引いた際に、解除用リンク部材４２の移動方向を下方方向へ変換するための部材であり、中央に回転軸４１ａを有し、その一方側にシートケーブル４０が連結されており、他方側に解除用リンク部材４２が連結されている。解除用リンク部材４２は、棒状の部材であり、アッパーレール２０に上下方向のみ移動可能に配置されている。解除用リンク部材４２は、先端にリンク部材用ローラー４３が設けられている。リンク部材４１は、シートケーブル４０を引いていないときは、解除用リンク部材４２を上方へ配置するように付勢されている。
【００２５】
こうして作製されたシートレール装置１００は、以下のように作動する。まず、通常の着座においてなんらの操作をしていない場合は、ロック部材５０がロック部材嵌合用孔７１と嵌合しているため、前後にアッパーレール２０が移動することはない。すなわち、車両用シートは固定されていることになる。この状態で、ロック部材５０のロックを解除することで、着座した状態で車両用シートが前後に移動可能になる。この際に、所定の距離以上前方へ移動すると、図５に示すように、アッパーレール２０の先端がストッパー部材３０の当接部３３の当接面３３ａに当接することによって、アッパーレール２０がさらに前方へ移動することが防止される。すなわち、車両用シートがそれ以上前方へ移動することが防止される。そして、例えば、ウォークインの状態を確保するためにさきほどの位置よりもさらに大きく前方へ車両用シートを移動させたい場合は、車両用シートの背もたれの可倒と連動したリンクされたレバーを操作することによって、背もたれの可倒に連動してシートケーブル４０が引かれる。するとリンク部材４１を介して解除用リンク部材４２が下方向に移動する。この状態のままアッパーレール２０（車両用シート）を前方へ移動すると、図６に示すように、解除用リンク部材４２のリンク部材用ローラー４３は、ストッパー部材３０を押圧しながら被押圧部傾斜部３４ｂ及び被押圧部水平部３４ａの上面を移動していく。これにより、ストッパー部材３０の当接部３３は、アッパーレール２０よりも下方に押し下げられ、アッパーレール２０はストッパー部材３０によって干渉されることなく、前方へ移動する。解除用リンク部材４２が被押圧部３４を通り過ぎた後は、ストッパー部材３０の当接部用ローラー３３ｄがアッパーレール２０の底面２２に当接した状態で当接部用ローラー３３ｄが転がりつつ、大きく前方へ移動することができる。そのため、アッパーレール２０の前端と解除用リンク部材４２の水平距離は、当接部３３と被押圧部３４の水平距離より長くする必要がある。
【００２６】
一方、ウォークイン状態の位置から着座位置まで車両用シートを戻す場合には、車両用シートの背もたれを起こすことによって、リンク部材４１の付勢力によって解除用リンク部材４２が上方に移動して元の位置に戻る。この状態で車両用シートを後方に移動すると、図７に示すように、アッパーレール２０の後端がストッパー部材３０のローラー３１ｄに当接し、ストッパー部材３０を押し下げつつ後方へ移動する。その後、ローラー３１ｄは、アッパーレール２０の底面２２と当接した状態で転がりながら移動し、車両用シートは、元の位置に復帰する。
【００２７】
こうして、作製されたシートレール装置１００は、着座時に誤って必要以上に大きく前方へ移動させる力を加えたとしても、ストッパー部材３０で制限され、それ以上前へ移動することを防止することができるインターロック機構として機能させることができる。
【００２８】
また、解除する場合には、解除用リンク部材４２で被押圧部３４を押圧するという操作のみで当接部３３を解除することができ、押圧を止めることで自動的に当接部３３を元の位置に復帰することができる。
【００２９】
また、本発明のシートレール装置の規制機構は、ロアレール１０側のストッパー部材３０と、アッパーレール２０側の解除用のリンク機構８０のみであるので、コンパクトにシートレール装置に組み込むことができる。
【００３０】
なお、本発明は上述した実施形態に何ら限定されることはなく、本発明の技術的範囲に属する限り種々の態様で実施し得る。
【００３１】
本実施形態においては、ウォークイン状態と着座時の車両用シートの位置による規制としたがこれに限定するものではなく、車両用シートの位置を所定の範囲で規制したい様々な場合に応用することができる。
【産業上の利用可能性】
【００３２】
上述した実施形態で示すように、自動車用シートを取り付けるためのシートレール装置として、産業上利用可能である。
【符号の説明】
【００３３】
１０…ロアレール、１１…底面部、１２…ロア側面部、１３…ロア上面部、
１９…ロアレール貫通孔、２０…アッパーレール、２１ａ…移動用ローラー、
２１ｂ…がたつき防止用ローラー、２２…底面、２３…シートレール取付部材、
３０…ストッパー部材、３１…ベース部、３１ａ…リブ、３１ｄ…ローラー、
３２…固定部、３２ａ…貫通孔、３３…当接部、３３ａ…当接面、
３３ｂ…当接部傾斜部、３３ｃ…水平部、３３ｄ…当接部用ローラー、
３４…被押圧部、３４ａ…被押圧部水平部、３４ｂ…被押圧部傾斜部、
３５…ロアレール下面当接片、４０…シートケーブル、４１…リンク部材、
４１ａ…回転軸、４２…解除用リンク部材、４３…リンク部材用ローラー、
５０…ロック部材、５１…ロック片部材、５１ａ…ロック片、５２…可動部材、
７１…ロック部材嵌合用孔、８０…リンク機構、１００…シートレール装置
【図１】
0006467199.tif 000002
【図２】
0006467199.tif 000003
【図３】
0006467199.tif 000004
【図４】
0006467199.tif 000005
【図５】
0006467199.tif 000006
【図６】
0006467199.tif 000007
【図７】
0006467199.tif 000008